(57)【要約】【課題】ＯＦＤＭ受信装置に関し、妨害波の影響を削減した同期キャリアについて等化処理を行うことができるようにし、受信性能の向上を図る。【解決手段】ＳＰキャリアが許容値を超える妨害を受けているときは、セレクタ２２は妨害削減部２１から出力される妨害削減処理が行われた同期キャリアを選択すると共に、セレクタ２３は補間処理部１８から出力される補間されてなるＳＰキャリアを選択し、等化処理部２４は、補間処理部１８から出力される補間されてなるＳＰキャリアを基準として、妨害削減部２１から出力される妨害削減処理が行われた同期キャリアについて等化処理を行う。【選択図】　　図１
2004140739.tif 000002
【特許請求の範囲】
【請求項１】
受信してディジタル化したＯＦＤＭ信号を高速フーリエ変換する高速フーリエ変換部を備えるＯＦＤＭ受信装置であって、
前記高速フーリエ変換部から出力される同期キャリアから妨害波の影響を削減する妨害削減部を備えていることを特徴とするＯＦＤＭ受信装置。
【請求項２】
前記高速フーリエ変換部から出力されるＳＰキャリアが前記妨害波から受けている妨害の大きさを測定する妨害測定部を備え、
前記妨害削減部は、前記妨害測定部の測定結果に基づいて、前記同期キャリアから前記妨害波の影響を削減することを特徴とする請求項１記載のＯＦＤＭ受信装置。
【請求項３】
前記ＳＰキャリアの補間処理を行う補間処理部と、
前記ＳＰキャリアの振幅の平均値を算出する平均値算出部と、
前記ＳＰキャリアが前記妨害波から許容値を超える妨害を受けていないときは、前記平均値算出部の出力を基準にして、前記妨害削減部による処理を受けていない同期キャリアについて等化処理を行い、前記ＳＰキャリアが前記妨害波から許容値を超える妨害を受けているときは、前記補間処理部の出力を基準にして、前記妨害削減部の処理を受けた同期キャリアについて等化処理を行う等化処理部を備えていることを特徴とする請求項２記載のＯＦＤＭ受信装置。
【発明の詳細な説明】
【０００１】
【発明の属する技術分野】
本発明は、ＯＦＤＭ（ｏｒｔｈｏｇｏｎａｌ　ｆｒｅｑｕｅｎｃｙ　ｄｉｖｉｓｉｏｎ　ｍｕｌｔｉｐｌｅｘｉｎｇ：直交周波数分割多重）受信装置、より詳しくは、ＦＦＴ（ｆａｓｔ　ｆｏｕｒｉｅｒ　ｔｒａｎｓｆｏｒｍ：高速フーリエ変換）部から出力される同期キャリアから妨害波の影響を削減する技術に関する。
【０００２】
【従来の技術】
図４は従来のＯＦＤＭ受信装置の一例の一部分を示す回路図である。図４中、１は受信アンテナ、２はチューナ、３はＡ／Ｄ変換部、４は同期部、５はＦＦＴ部、６は復調部であり、受信アンテナ１で受信されてチューナ２で選局されたＯＦＤＭ信号は、Ａ／Ｄ変換部３でディジタル信号に変換され、同期部４で同期を確立され、ＦＦＴ部５で高速フーリエ変換され、復調部６で復調される。
【０００３】
図５は日本の地上ディジタル放送の伝送方式であるＩＳＤＢ−Ｔ（ｉｎｔｅｇｒａｔｅｄｓｅｒｖｉｃｅｓ　ｄｉｇｉｔａｌ　ｂｒｏａｄｃａｓｔｉｎｇ　ｓｙｓｔｅｍ　ｆｏｒ　ｔｅｒｒｅｓｔｒｉａｌ）におけるＳＰ（ｓｃａｔｔｅｒｅｄ　ｐｉｌｏｔ：分散パイロット）信号の挿入位置を示す図である。ＩＳＤＢ−Ｔでは、送信側において、ＯＦＤＭシンボルの周波数方向に１／１２の割合、時間方向に１／４の割合、かつ、１シンボル進むごとに３キャリアずれるように、ＳＰ信号を送るためのキャリア（ＳＰキャリア）が挿入される。
【０００４】
ここで、ＳＰ信号は固定値であるから、受信側では、受信したＳＰキャリアのレベルを見れば、そのＳＰキャリアの近傍のデータキャリアが伝送中にどのような影響を受けたのかを知ることができ、このＳＰキャリアが送信時と同一レベルとなるような処理（等化処理）を近傍のデータキャリアに対して行えば、送信時のデータキャリアのレベルを復元することができる。
【０００５】
しかし、スプリアス、同一チャネル等の妨害波を受信している状況で妨害周波数がＳＰキャリアの周波数と一致した場合には、ＳＰキャリアが伝送路特性以外の要因でレベル変動していることになるため、等化処理によってデータキャリアを復元することができなくなる。
【０００６】
これに対処するため、ＳＰキャリアの平均、分散の値を用いてＳＰキャリアの平均的な値から大きく外れているＳＰキャリアを検出し、このＳＰキャリアの近傍のデータキャリアは妨害を受けているものと判定し、後段の誤り訂正処理の性能向上に利用するという方法が提案されている（例えば、特許文献１）
【０００７】
【特許文献１】
特開平１１−２５２０４０号公報
【０００８】
【発明が解決しようとする課題】
しかし、上記の方法は、ＳＰキャリアが妨害を受けているか否かの情報を元にした誤り訂正の性能向上をねらったものであり、データキャリアからの妨害波の影響の削減は行っていない。更なる受信性能向上のためには、ＦＦＴ部５から出力される同期キャリアから妨害波の影響を削減して等化処理を行う必要がある。
【０００９】
本発明は、かかる点に鑑み、妨害波の影響を削減した同期キャリアについて等化処理を行うことができるようにし、受信性能の向上を図ることができるようにしたＯＦＤＭ受信装置を提供することを目的とする。
【００１０】
【課題を解決するための手段】
本発明のＯＦＤＭ受信装置は、ＦＦＴ部から出力される同期キャリアから妨害波の影響を削減する妨害削減部を備えているというものである。
【００１１】
本発明によれば、ＦＦＴ部から出力される同期キャリアから妨害波の影響を削減する妨害削減部を備えているので、妨害波の影響を削減した同期キャリアについて等化処理を行うことができる。
【００１２】
【発明の実施の形態】
図１は本発明の一実施形態の一部分を示す回路図である。図１中、７は受信アンテナ、８はチューナ、９はＡ／Ｄ変換部、１０は同期部、１１はＦＦＴ部、１２は復調部である。
【００１３】
復調部１２において、１３はＦＦＴ部１１から出力されるキャリアをＤＱＰＳＫ方式で変調された差動キャリアと、ＱＰＳＫ、１６ＱＡＭ又は６４ＱＡＭ方式で変調された同期キャリアと、ＳＰキャリアとに分別するキャリア選択部である。
【００１４】
１４はキャリア選択部１３から出力される差動キャリアについて差動復調を行う差動復調部、１５はキャリア選択部１３から出力されるＳＰキャリアを入力して補間処理、平均値算出処理、妨害ベクトル算出処理、妨害検出信号作成処理を行うＳＰキャリア処理部、１６はキャリア選択部１３から出力される同期キャリアについて同期復調を行う同期復調部である。
【００１５】
ＳＰキャリア処理部１５において、１７は４シンボル分のＳＰキャリアを格納して３キャリアに１個の割合のＳＰキャリアを得るためのメモリ、１８はメモリ１７の出力について補間処理を行いデータキャリアに対応したＳＰキャリアを得る補間処理部である。
【００１６】
１９は補間処理部１８の出力を入力して、補間処理してなるＳＰキャリアの平均値の算出、ＳＰキャリアが受けている妨害波による妨害の大きさ（妨害ベクトル）の算出処理及び妨害ベクトルの絶対値が許容値を超えているか否かを示す妨害検出信号の作成処理を行う妨害検出部である。
【００１７】
同期復調部１６において、２０はキャリア選択部１３から出力される同期キャリアを遅延する遅延部であり、ＳＰキャリア処理部１５での処理遅延時間と等しい遅延時間を有するものである。
【００１８】
２１は遅延部２０から出力される同期キャリアと、妨害検出部１９から送られてくる妨害ベクトルを入力して同期キャリアから妨害波の影響を削減する妨害削減部である。
【００１９】
２２は妨害検出信号に制御され、遅延部２０から出力される同期キャリア又は妨害削減部２１から出力される同期キャリアを選択するセレクタであり、ＳＰキャリアが許容値を超える妨害を受けていないときは、遅延部２０から出力される同期キャリアを選択し、ＳＰキャリアが許容値を超える妨害を受けているときは、妨害削減部２１から出力される同期キャリアを選択するものである。
【００２０】
２３は妨害検出信号に制御され、妨害検出部１９から出力されるＳＰキャリアの平均値又は補間処理部１８から出力される補間されてなるＳＰキャリアを選択するセレクタであり、ＳＰキャリアが許容値を超える妨害を受けていないときは、妨害検出部１９から出力されるＳＰキャリアの平均値を選択し、ＳＰキャリアが許容値を超える妨害を受けているときは、補間処理部１８から出力される補間されてなるＳＰキャリアを選択するものである。
【００２１】
２４はＳＰキャリアが許容値を超える妨害を受けていないときは、ＳＰキャリアの平均値を基準として、遅延部２０から出力される同期キャリアについて等化処理を行い、ＳＰキャリアが許容値を超える妨害を受けているときは、補間されてなるＳＰキャリアを基準として、妨害削減部２１から出力される同期キャリアについて等化処理を行う等化処理部である。
【００２２】
図２は妨害検出部１９の構成を示す回路図である。図２中、２５はｎ段シフトレジスタ（但し、ｎは奇数）、２６はｎ段シフトレジスタ２５の並列出力値を加算する加算器、２７は加算器２６の出力値をｎ段シフトレジスタ２５の段数ｎで除算し、補間されてなるＳＰキャリアの平均値を算出する除算器である。
【００２３】
２８は除算器２７の出力値からｎ段シフトレジスタ２５の［（ｎ＋１）／２］段目のレジスタ２５Ａの出力値を減算して妨害ベクトルを算出する減算器、２９は減算器２８から出力される妨害ベクトルの絶対値を算出する絶対値算出回路、３０は絶対値算出回路２９から出力される妨害ベクトルの絶対値と許容値（閾値）とを比較し、ＳＰキャリアが許容値を超える妨害を受けているか否かを示す妨害検出信号を作成する比較器である。
【００２４】
本実施形態では、受信アンテナ７で受信されてチューナ８で選局されたＯＦＤＭ信号は、Ａ／Ｄ変換部９でディジタル信号に変換され、同期部１０で同期を確立され、ＦＦＴ部１１で高速フーリエ変換され、復調部１２で復調され、誤り訂正部の周波数／時間デインターリーブ部に伝送される。
【００２５】
復調部１２では、ＦＦＴ部１１の出力は、キャリア選択部１３で差動キャリアと同期キャリアとＳＰキャリアに分別される。キャリア選択部１３から出力される差動キャリアについては差動復調部１４で差動復調が行われる。
【００２６】
キャリア選択部１３から出力されるＳＰキャリアは、メモリ１７に保存され３キャリアに１個の割合のＳＰキャリアが得られ、補間処理部１８でＳＰキャリア間の補間処理が行われ、補間されてなるＳＰキャリアが妨害検出部１９に伝送される。
【００２７】
妨害検出部１９では、補間処理部１８の出力は、ｎ段シフトレジスタ２５に入力され、過去ｎ個のＳＰキャリアが保存され、加算器２６でｎ段シフトレジスタ２５の並列出力値が加算され、除算器２７で加算器２６の出力値がｎ段シフトレジスタ２５の段数ｎで除算され、補間されてなるＳＰキャリアの平均値が算出される。
【００２８】
また、減算器２８で除算器２７の出力値からｎ段シフトレジスタ２５の中心部のレジスタ２５Ａの出力値が減算されて妨害ベクトルが算出され、更に、絶対値算出回路２９で減算器２８から出力される妨害ベクトルの絶対値が算出され、比較器３０で絶対値算出回路２９から出力される妨害ベクトルの絶対値と閾値とが比較されて妨害検出信号が作成される。
【００２９】
同期復調部１６では、遅延部２０において、キャリア選択部１３から出力される同期キャリアがＳＰキャリア処理部１５の処理遅延時間と等しい遅延時間だけ遅延される。また、妨害削減部２１では、遅延部２０から出力される同期キャリアから妨害検出部１９から出力される妨害ベクトルが差し引かれる。
【００３０】
ここで、ＳＰキャリアが許容値を超える妨害を受けていないときは、セレクタ２２は、遅延部２０から出力される妨害削減処理が行われていない同期キャリアを選択し、セレクタ２３は、妨害検出部１９から出力されるＳＰキャリアの平均値を選択する。
【００３１】
したがって、この場合には、等化処理部２４では、妨害検出部１９から出力されるＳＰキャリアの平均値を基準として、遅延部２０から出力される妨害削減処理が行われていない同期キャリアについて等化処理が行われることになる。
【００３２】
これに対して、ＳＰキャリアが許容値を超える妨害を受けているときは、セレクタ２２は、妨害削減部２１から出力される妨害削減処理が行われた同期キャリアを選択し、セレクタ２３は、補間処理部１８から出力される補間されてなるＳＰキャリアを選択する。
【００３３】
したがって、この場合には、等化処理部２４では、補間処理部１８から出力される補間されてなるＳＰキャリアの値を基準として、妨害削減部２１から出力される妨害削減処理が行われた同期キャリアについて等化処理が行われることになる。
【００３４】
図３は本実施形態で行われる同期キャリアからの妨害波の影響の削減処理を説明するための図である。図３Ａ中、３１は受信したＳＰキャリアの値（ｎ段シフトレジスタ２５のレジスタ２５Ａに格納されているＳＰキャリアの値）、３２は妨害波による妨害を受けていないＳＰキャリアの推定値（除算器２７の出力値）であり、減算器２８では、［（受信したＳＰキャリアの値３１）−（妨害波による妨害を受けていないＳＰキャリアの推定値３２）］なる演算が行われ、妨害ベクトル３３が算出される。
【００３５】
図３Ｂ中、３４は受信した同期キャリアの値（遅延部２０から出力される同期キャリアの値）であり、妨害削減部２１においては、［（受信した同期キャリアの値３４）＋（妨害ベクトル３３と向きを反対とするベクトル３５）］＝［（受信した同期キャリアの値３４）−（妨害ベクトル３３）］なる演算が行われ、妨害波による妨害を受けていない同期キャリアの推定値（妨害波の影響を削減した同期キャリアの値）３６が算出される。
【００３６】
以上のように、本実施形態によれば、復調部１２はキャリア選択部１３とＳＰキャリア処理部１５と同期復調部１６を備え、ＳＰキャリア処理部１５はメモリ１７と補間処理部１８と妨害検出部１９を備え、同期復調部１６は遅延部２０と妨害削減部２１とセレクタ２２、２３と等化処理部２４を備えるとしたことにより、ＦＦＴ部１１から出力される同期キャリアから妨害波の影響を削減した同期キャリアについて等化処理を行うことができる。したがって、受信性能の向上を図ることができる。
【００３７】
なお、本実施形態の場合には、妨害検出信号は、セレクタ２２、２３の選択制御信号として使用されるほか、周波数／時間デインターリーブ部へ送られ、復号情報としても用いられる。
【００３８】
【発明の効果】
以上のように、本発明によれば、ＦＦＴ部から出力される同期変調データキャリアから妨害波の影響を削減する妨害削減部を備えるとしたことにより、妨害波の影響を削減した同期キャリアについて等化処理を行うことができるので、受信性能の向上を図ることができる。
【図面の簡単な説明】
【図１】本発明の一実施形態の一部分を示す回路図である。
【図２】本発明の一実施形態が備える妨害検出部の構成を示す回路図である。
【図３】本発明の一実施形態で行われる同期キャリアからの妨害波の影響の削減処理を説明するための図である。
【図４】従来のＯＦＤＭ受信装置の一例の一部分を示す回路図である。
【図５】ＩＳＤＢ−ＴにおけるＳＰ信号の挿入位置を示す図である。
【符号の説明】
１…受信アンテナ
２…チューナ
３…Ａ／Ｄ変換部
４…同期部
５…ＦＦＴ部
６…復調部
７…受信アンテナ
８…チューナ
９…Ａ／Ｄ変換部
１０…同期部
１１…ＦＦＴ部
１２…復調部
１３…キャリア選択部
１４…差動復調部
１５…ＳＰキャリア処理部
１６…同期復調部
１７…メモリ
１８…補間処理部
１９…妨害検出部
２０…遅延部
２１…妨害削減部
２２、２３…セレクタ
２４…等化処理部
２５…ｎ段シフトレジスタ
２６…加算器
２７…除算器
２８…減算器
２９…絶対値算出回路
３０…比較器
【図１】
2004140739.tif 000003
【図２】
2004140739.tif 000004
【図３】
2004140739.tif 000005
【図４】
2004140739.tif 000006
【図５】
2004140739.tif 000007